(57)【要約】【課題】  焚火台やバーベキューコンロとして使用される屋外用火床装置を、組立部材の構造が簡素で、且つ組立容易な組立式とする。【解決手段】火床となる上方開口の箱型の火床本体１と、前記火床本体１を内方に位置させた際に火床本体より左右に突出状態となる大きさの支持枠部材２と、支持枠部材の前後幅より幅広で対向した前後脚杆３１を適宜な横杆で連結してなる一対の脚部材３とを備え、火床本体１の前後縁に支持枠部材の前後杆部２１に差し渡して火床本体を支持枠部材に載置可能とした鍔部１２を設け、脚部材３の上方部分に支持枠部材２の前後杆部２１を上下に挟む連結装着部３４を設けてなる。【選択図】図１
0003225179.tif 000002
【実用新案登録請求の範囲】
【請求項１】
火床となる上方開口の箱型の火床本体と、前記火床本体を内方に位置させた際に火床本体より左右に突出状態となる大きさの支持枠部材と、支持枠部材の前後幅より幅広で対向した前後脚杆を適宜な横杆で連結してなる一対の脚部材とを備え、火床本体の前後縁に支持枠部材の前後杆部に差し渡して火床本体を支持枠部材に載置可能とした鍔部を設け、脚部材の上方部分に支持枠部材の前後杆部を上下に挟む連結装着部を設けてなることを特徴とする組立式屋外用火床装置。
【請求項２】
脚部材に連結装着部の上方に突出する上辺杆を架設し、支持枠部材の左右幅と対応する横幅に形成した網体を備えてなる請求項１記載の組立式屋外用火床装置。
【請求項３】
支持枠部材の前後幅より幅狭の前後間隔の立杆間に載置杆を架設すると共に、前記立杆の下部に連結装着部と上辺杆の何れか一方又は双方を挟む二股状の装着脚部を設けた一対の五徳脚と、組立時に対向する五徳脚に載置可能な適宜な大きさに形成した五徳台とを備えた請求項１又は２記載の組立式屋外用火床装置。
【請求項４】
網体を脚部材の前後幅の半分以下の幅の一対の網体とし、五徳脚の立杆間隔を脚部材の前後幅の二分の一幅とした請求項３記載の組立式屋外用火床装置。
【請求項５】
五徳台に載置杆を挟持するクリップ部を設けてなる請求項３又は４記載の組立式屋外用火床装置。
【考案の詳細な説明】
【技術分野】
【０００１】
本考案は、焚き火台やバーベキューコンロ等として使用される組立式屋外用火床装置に関するものである。
【背景技術】
【０００２】
焚火台やバーベキューコンロは基本的に脚と脚で支持された火床本体で構成され、必要に応じて焼網板や調理鉄板を組み合わせてなるものである。
【０００３】
特に脚と火床本体が分離すれば不使用時にコンパクトになり収納運搬に便利であり、従前より種々の分解組立構造が提案されている。例えば箱状の火床本体（コンロ本体）を備えたバーベキューコンロでは、特許文献１に示されているように、火床本体に脚挿入部を設け、脚杆を脚挿入部に装着して組み立てる構造や、特許文献２に示されているように火床本体の組み立て並びに脚装着を杆体の螺合連結構造で実現しているものが知られている。
【０００４】
また特許文献３には、上部開口コの字状の脚杆の上端に、内方に向けて二股とした保持杆を突設し、調理鉄板を二股の保持杆の間に差し入れて組み立てる構造が開示されている。
【先行技術文献】
【特許文献】
【０００５】
【特許文献１】登録実用新案３１８１２１１号公報。
【特許文献２】特開２０１４−４６１４３号公報。
【特許文献３】実公昭６１−２５７２３号公報。
【考案の概要】
【考案が解決しようとする課題】
【０００６】
組立式において脚差込構造を採用した場合には、火床本体に所定の脚受入部を設ける必要があり製造が煩瑣であり、製造コストを高めてしまう。また螺合連結構造を採用する場合は、製造の煩瑣さは解消できるが組立作業が煩瑣となる。
【０００７】
また特許文献３開示の組み立て方式では、調理焼板をそのまま箱状の被床本体に置き換えることができないし、従前のバーベキューコンロのように多様な調理に対応できる付加構成を組み込むことが困難である。
【０００８】
そこで本考案は部材の連結構造を必要とせず、且つ組立作業が容易である新規な組立式火床装置を提案したものである。
【課題を解決するための手段】
【０００９】
本考案の請求項１記載に係る組立式屋外用火床装置は、火床となる上方開口の箱型の火床本体と、前記火床本体を内方に位置させた際に火床本体より左右に突出状態となる大きさの支持枠部材と、支持枠部材の前後幅より幅広で対向した前後脚杆を適宜な横杆で連結してなる一対の脚部材とを備え、火床本体の前後縁に支持枠部材の前後杆部に差し渡して火床本体を支持枠部材に載置可能とした鍔部を設け、脚部材の上方部分に支持枠部材の前後杆部を上下に挟む連結装着部を設けてなることを特徴とするものである。
【００１０】
而して支持枠部材の両端部分を脚部材の連結装着部内に差し入れ、脚部材の下方を両側外方に移動させるように傾斜させると、支持枠部材の前後杆部を連結装着部で挟持することになり、脚部材間に支持枠部材が架設状態で安定する。そこで脚部材間の支持枠部材の前後杆部に火床本体を吊下げ架設することで全体が組み立てられ、火床本体で火を焚くことで焚火台やバーベキューコンロとして使用することができる。
【００１１】
また本考案の請求項２記載に係る組立式屋外用火床装置は、更に脚部材に連結装着部の上方に突出するに上辺杆を架設し、支持枠部材の左右幅と対応する横幅に形成した網体を備えてなるもので、網体を連結装着部又は上辺杆に載置すると、熱源距離を選択して火床本体上に網体を設置することになり、バーベキューコンロとして焼き調理に供することができる。
【００１２】
更に本考案の請求項３記載に係る組立式屋外用火床装置は、支持枠部材の前後幅より幅狭の前後間隔の立杆間に載置杆を架設すると共に、前記立杆の下部に連結装着部と上辺杆の何れか一方又は双方を挟む二股状の装着脚部を設けた一対の五徳脚と、組立時に対向する五徳脚に載置可能な適宜な大きさに形成した五徳台とを備えたもので、五徳脚の装着脚部を脚部材の上方に連繋し、五徳脚の載置杆上に五徳台を差し渡すことで、火床本体の加熱源を有効に利用することができる。
【考案の効果】
【００１３】
本考案の構成は上記のとおりで、各部材の連結に嵌合構造や螺合構造を採用しない組立方式としたもので、各部材の製造が容易で、且つ組立作業も容易である火床装置を提供できたものである。
【図面の簡単な説明】
【００１４】
【図１】本発明の実施形態（支持枠部材、脚部材、火床本体）の全体図（分離図）。
【図２】同図（組立図）。
【図３】同網体を使用した組立図。
【図４】同五徳脚と五徳台を使用した組立図。
【図５】同網体と五徳脚と五徳台を使用した組立図。
【図６】同五徳脚と五徳台の説明図。
【考案を実施するための形態】
【００１５】
次に本考案の実施形態について説明する。実施形態に示した組立式屋外用火床装置は、火床本体１、支持枠部材２と、一対の脚部材３と、二個の網体４と、一対の五徳脚５と、五徳台６で構成される。
【００１６】
火床本体１は、上方開口の箱型で内底部に火皿１１を備え、前後縁に後記する支持枠部材２の前後杆部２１に差し渡して支持枠部材２に載置可能とした鍔部１２を設けたものである。
【００１７】
支持枠部材２は、矩形枠であり火床本体２及び脚部材３を組立装着するもので、前記火床本体１を内方に位置させた際に火床本体１より左右に突出状態となる大きさとしたものである。
【００１８】
一対の脚部材３は、支持枠部材２の前後幅より幅広で対向した前後脚杆３１を下辺横杆（横杆）３２と上辺杆（横杆）３３で架設連結して略枠状に形成すると共に、上辺杆３３の下方位置に支持枠部材２の前後杆部２１を上下に挟む間隙を備えた連結装着部３４を設けてなる。
【００１９】
網体４は、支持枠部材２の左右幅と対応する横幅（組立時に脚部材上に載置可能な幅）で、前後幅を脚部材３の前後脚杆３１の間隔の半分以下（略二分の一に近い幅）の大きさに形成した一対で構成される。
【００２０】
五徳脚５は、前後の立杆５１間に載置杆５２を架設すると共に、前記立杆５１の下部に上辺杆３３と連結装着部３４を挟む二股状の装着脚部５３を設けたもので、その前後幅（前後立杆の距離）は、脚部材３の前後幅の略二分の一（二分の一より僅かに狭い）としたものである。
【００２１】
五徳台６は、組立時に対抗する五徳脚５の載置杆５２に載置可能な適宜な大きさで、鍋や夜間などの調理容器が載置できるような形状に形成したもので、載置杆５２と対応する位置に、載置杆５２を挟持するクリップ部６１を設けてなる。
【００２２】
而して支持枠部材２の両端部分を脚部材３の連結装着部３４の間隙内に差し入れ、脚部材３の下方を両側外方に移動させるように傾斜させると、支持枠部材２の前後杆部２１を連結装着部３４で挟持することになり、左右の脚部材３間に支持枠部材２が架設状態で安定する。そこで左右の脚部材３間における支持枠部材２の前後杆部２１に火床本体１の鍔部１２を係止すると、火床本体１が吊下げ架設され、図２に示す火床装置の基本形態が組みたてられる。
【００２３】
前記の組み立てられた図２の火床装置は、火床本体１で火を熾すことによって、焚火台バーベキューコンロとして使用することができる。
【００２４】
更に網体４を組み込むことで網体を備えたバーベキューコンロとすることができ、特に網体４を連結装着部３４上に載置して取り付けても良いし（図３）、上辺杆３３の上に載置するようにしても良い。
【００２５】
また五徳脚５の装着脚部５３を脚部材３の上方から上辺杆３３と連結装着部３４を挟むように差込むと五徳脚５は脚部材の上方に起立状に連繋され、五徳脚５の載置杆５２上に五徳台６を差し渡すことで五徳を備えた火床装置とすることができる（図４）。
【００２６】
特に網体４と五徳台６の前後幅を脚部材３の前後幅の二分の一としたものであるから、網体４と五徳脚５を前後に配置して組み込むこともでき（図５）、また特に五徳脚５に載置杆５２より下方に位置する棚杆５４を設け、網体４を載置杆５２や前記棚杆５４に載置して使用するようにしても良い。
【００２７】
また本考案は前記の実施形態に限定されるものではなく、脚部材３は前後脚杆３１が連結状態であれば良いので、下辺横杆３２や上辺杆３３を省略して、連結装着部３４が横杆を兼ねるようにしても良い。
【００２８】
更に網体４や五徳脚５は前後に配置する同時使用が必要でないのであれば、その前後幅を特定する必要もない。
【符号の説明】
【００２９】
１      火床本体
１１    火皿
１２    鍔部
２      支持枠部材
２１    前後杆部
３      脚部材
３１    前後脚杆
３２    下辺横杆（横杆）
３３    上辺杆（横杆）
３４    連結装着部
４      網体
５      五徳脚
５１    立杆
５２    載置杆
５３    装着脚部
５４    棚杆
６      五徳台
６１    クリップ部
【図１】
0003225179.tif 000003
【図２】
0003225179.tif 000004
【図３】
0003225179.tif 000005
【図４】
0003225179.tif 000006
【図５】
0003225179.tif 000007
【図６】
0003225179.tif 000008
【手続補正書】
【提出日】令和1年11月7日(2019.11.7)
【手続補正１】
【補正対象書類名】実用新案登録請求の範囲
【補正対象項目名】請求項４
【補正方法】変更
【補正の内容】
【請求項４】
網体を脚部材の前後幅の半分以下の幅の一対の網体とし、五徳脚の立杆間隔を脚部材の前後幅の二分の一幅とした請求項２記載の組立式屋外用火床装置。
【手続補正書】
【提出日】令和1年12月11日(2019.12.11)
【手続補正１】
【補正対象書類名】実用新案登録請求の範囲
【補正対象項目名】全文
【補正方法】変更
【補正の内容】
【実用新案登録請求の範囲】
【請求項１】
火床となる上方開口の箱型の火床本体と、前記火床本体を内方に位置させた際に火床本体より左右に突出状態となる大きさの支持枠部材と、支持枠部材の前後幅より幅広で対向した前後脚杆を適宜な横杆で連結してなる一対の脚部材とを備え、火床本体の前後縁に支持枠部材の前後杆部に差し渡して火床本体を支持枠部材に載置可能とした鍔部を設け、脚部材の上方部分に支持枠部材の前後杆部を上下に挟む連結装着部を設けてなることを特徴とする組立式屋外用火床装置。
【請求項２】
脚部材に連結装着部の上方に突出する上辺杆を架設し、支持枠部材の左右幅と対応する横幅に形成した網体を備えてなる請求項１記載の組立式屋外用火床装置。
【請求項３】
支持枠部材の前後幅より幅狭の前後間隔の立杆間に載置杆を架設すると共に、前記立杆の下部に連結装着部と上辺杆の何れか一方又は双方を挟む二股状の装着脚部を設けた一対の五徳脚と、組立時に対向する五徳脚に載置可能な適宜な大きさに形成した五徳台とを備えた請求項２記載の組立式屋外用火床装置。
【請求項４】
網体を脚部材の前後幅の半分以下の幅の一対の網体とし、五徳脚の立杆間隔を脚部材の前後幅の二分の一幅とした請求項３記載の組立式屋外用火床装置。
【請求項５】
五徳台に載置杆を挟持するクリップ部を設けてなる請求項３又は４記載の組立式屋外用火床装置。